(57)【要約】【課題】ワイヤ張力検出型の警戒システムであって、設置が容易なシステムを提供する。【解決手段】ワイヤ張力調節部２１０とワイヤ張力検出部２２０とがひとつの筐体２０１に収容された警戒センサ１０を用いる。これにより、設置時に作業者が一方向に移動していくのみで、警戒センサ１０へのワイヤの接続とワイヤの張力の調節とを順次行うことができる。もしくは、リードスイッチ２２５に近接させて永久磁石を配置した警戒センサを用い、リードスイッチ２２５を搭載した搭載部２２３を変位させ、永久磁石は変位させない構成とする。これにより、ワイヤ１６の固定と、リードスイッチ２２５に対する電気的接続を同時に行うことが可能になる。【選択図】図２
2004171351.tif 000002
【特許請求の範囲】
【請求項１】
間隔をあけて配置された複数の警戒センサと、前記複数の警戒センサの間にそれぞれ配置され、両端が隣接する前記警戒センサに接続されたワイヤとを有する警戒システムであって、
前記警戒センサは、筐体と、該筐体の内部に配置されたワイヤ張力調節部およびワイヤ張力検出部とを含み、前記ワイヤ張力調節部は、当該警戒センサに両側から接続される前記ワイヤのうち、一方の側から接続される第１のワイヤの端部を固定するとともにその張力を調節し、前記ワイヤ張力検出部は、他方の側から接続される第２のワイヤの端部に接続され、該第２のワイヤに加わった予め定められた値以上の張力を検出することを特徴とする警戒システム。
【請求項２】
請求項１に記載の警戒システムにおいて、前記警戒センサの前記ワイヤ張力検出部は、リードスイッチと、該リードスイッチを搭載する搭載部と、該搭載部を変位可能に支持するガイド部と、前記リードスイッチに近接した位置において前記筐体に固定された磁界発生部とを含み、
前記搭載部は、前記第２のワイヤの端部を固定するためのワイヤ保持部を備え、固定された前記第２のワイヤに前記予め定めた値以上の張力がかかった場合、該張力により前記ガイド部に沿って変位し、前記リードスイッチを前記磁界発生部の発生する磁界から外れる位置まで移動させることを特徴とする警戒システム。
【請求項３】
請求項２に記載の警戒システムにおいて、前記警戒センサは、前記第１のワイヤと第２のワイヤとを電気的に導通させるために、前記ワイヤ張力調節部の一部と前記ワイヤ張力検出部の一部とを電気的に接続する配線を含むことを特徴とする警戒システム。
【請求項４】
請求項３に記載の警戒システムにおいて、前記ワイヤ保持部は、前記ワイヤを前記リードスイッチの一方の端子と電気的に接続する接続端子を兼用しており、前記配線は、前記リードスイッチの他方の端子と、前記ワイヤ張力調節部の一部とを接続することを特徴とする警戒システム。
【請求項５】
請求項２に記載の警戒システムにおいて、前記ワイヤ張力検出部は、前記予め定めた値以上の張力を検出したことを報知するために報知部をさらに含み、該報知部は、前記搭載部の変位によって前記筐体の外部に押し出されることにより、前記張力を検出したことを報知することを特徴とする警戒システム。
【請求項６】
間隔をあけて配置された複数の警戒センサと、前記複数の警戒センサの間にそれぞれ配置され、両端が隣接する前記警戒センサに接続されたワイヤとを有する警戒システムであって、
前記警戒センサは、筐体と、該筐体の内部に配置されたワイヤ張力検出部とを有し、該ワイヤ張力検出部は、リードスイッチと、該リードスイッチを搭載する搭載部と、該搭載部を変位可能に支持するガイド部と、前記リードスイッチに近接した位置において前記筐体に固定された磁界発生部とを含み、
前記搭載部は、前記警戒センサに両側から接続されるワイヤのうち一方の側から接続されるワイヤの端部を固定するためのワイヤ保持部を備え、該ワイヤ保持部に固定された前記ワイヤに予め定めた値以上の張力がかかった場合、該張力により前記ガイド部に沿って変位し、前記リードスイッチを前記磁界発生部の発生する磁界から外れる位置まで移動させることを特徴とする警戒システム。
【請求項７】
請求項６に記載の警戒システムにおいて、前記ワイヤ保持部は、固定した前記ワイヤを前記リードスイッチの一方の端子と電気的に接続する接続端子を兼用しており、
前記リードスイッチの他方の端子には配線が接続され、該配線は、前記警戒センサに他方の側から接続されるワイヤに電気的に接続されていることを特徴とする警戒システム。
【請求項８】
両側からワイヤが接続され、該ワイヤの張力を検出する警戒システム用警戒センサであって、
筐体と、該筐体の内部に配置されたワイヤ張力調節部およびワイヤ張力検出部とを含み、前記ワイヤ張力調節部は、両側から接続される前記ワイヤのうち一方の側から接続される第１のワイヤの端部を固定するとともにその張力を調節し、前記ワイヤ張力検出部は、他方の側から接続される第２のワイヤの端部に接続され、該第２のワイヤに加わった予め定められた値以上の張力を検出することを特徴とする警戒センサ。
【請求項９】
両側からワイヤが接続され、該ワイヤの張力を検出する警戒システム用警戒センサであって、
筐体と、該筐体の内部に配置されたワイヤ張力検出部とを有し、該ワイヤ張力検出部は、リードスイッチと、該リードスイッチを搭載する搭載部と、該搭載部を変位可能に支持するガイド部と、前記リードスイッチに近接した位置において前記筐体に固定された磁界発生部とを含み、
前記搭載部は、前記両側から接続されるワイヤのうち一方のワイヤの端部を固定するためのワイヤ保持部を備え、該ワイヤ保持部に固定された前記ワイヤに予め定めた値以上の張力がかかった場合、該張力により前記ガイド部に沿って変位し、前記リードスイッチを前記磁界発生部の発生する磁界から外れる位置まで移動させることを特徴とする警戒センサ。
【発明の詳細な説明】
【０００１】
【発明の属する技術分野】
本発明は、警戒区域に張り巡らしたワイヤに、過大な張力が加わったことを検出して警報を発する警報システムに関するものである。
【０００２】
【従来の技術】
警戒区域内への不法侵入を検知する装置として、ワイヤ張力検出型警戒システムが知られている。このワイヤ張力検出型警戒システムは、特許文献１等に記載されているように、警報区域に張り巡らしたワイヤのループの途中に所定の間隔で複数の警戒センサを組み込み、侵入者がワイヤを引っ張ることにより生じる張力を警戒センサが検出し、警報を発するものである。警戒センサの構造としては、特許文献１の従来の技術の欄に記載されているように大きく分けて２種類ある。ひとつは、ジャックに挿入されたプラグがワイヤの張力で脱落したことを電気的に検出する構造のセンサである。もうひとつは、ガラス管内に電気接点が封入されたリードスイッチに近接して永久磁石を配置した構造のセンサであり、永久磁石がワイヤに引っ張られてリードスイッチから遠ざけられると、リードスイッチがオフに切り替わり、これを電気的に検出する構造である。
【０００３】
また、複数の警戒センサの動作を遠方に配置したひとつの監視装置で監視できるようにするため、ならびに、ワイヤが切断されたことを電気的に検出できるようにするために、ワイヤループには、警戒センサを介して全体に微弱電流が流れるように構成されている。
【特許文献１】特許第２６０２１４３号公報
【０００４】
【発明が解決しようとする課題】
上述したように従来の警戒システムの警戒センサは、ワイヤの張力を検出するものであるため、設置時に、ワイヤの張力を所定の張力に設定する必要がある。
従来は図６に示したように、警戒センサ７１と警戒センサ７２との間に張力調節部７３を配置し、ワイヤ７５をプーリー７３ａによって所定の張力で引っ張った状態に保つことにより、ワイヤ７５の張力の設定を行っている。また、警戒センサ７１、７２等は、図６に示したようにワイヤ７４，７５，７６等によって構成されるループの途中に組み込まれるため、通常、両側にワイヤの接続口を持つ双口式であり、両側のワイヤ７５の張力をそれぞれ検出する構成となっている。また、警戒センサ７１，７２等は、通常、１２ｍ程度の間隔で配置される。
【０００５】
このような従来の警戒システムを設置する手順は以下のようになる。作業者は、まず柱７７の位置において、ワイヤ７５の左端を警戒センサ７１の右側の接続口に接続し、右に約１２ｍ移動して、柱７９の位置においてワイヤ７５の右端を警戒センサ７２の左側の接続口に接続する。今度は、左に約６ｍ戻り、柱７８において張力調節部７３のプーリー７３ａの位置を調節してワイヤ張力を所定値に設定する。これにより、ワイヤ７５の設定が完了する。そして、今度は、右に約６ｍ移動して再び柱７９の位置に戻り、次のワイヤ７６の左端を警戒センサ７２の右側の接続部に接続し、右に約１２ｍ移動してワイヤ７６の右端を図示していない警戒センサの左側の接続口に接続し、今度は、左に約６ｍ戻り、図示していない張力調節部のプーリーの位置を調節してワイヤ張力を所定値に設定する。これらの動作をワイヤごとに繰り返し行う。
【０００６】
このように従来の警戒システムの設置作業は、作業者が右左に行きつ戻りつする動きを繰り返す必要があり、作業者は、ワイヤの長さの倍の距離を移動しなければならない。通常、警戒区域に必要なワイヤの全長は数ｋｍから数十ｋｍにも及ぶため、作業者がその倍の距離を移動するのに要する時間と労力は大きく、設置コストがかかるという問題があった。
【０００７】
また、リードスイッチに近接して永久磁石を配置する型の警戒センサを用いる場合、ワイヤループの全体に微弱電流が流れるようにするために、図７に示したように、単にワイヤ７５と永久磁石７１ｂとを接続するだけでなく、リードスイッチ７１ａの端子とワイヤ７５とをリード線７１ｃ等により電気的に接続し、ワイヤループが閉回路となるようにする必要がある。このため、設置の際に、ワイヤ７５の固定作業とは別に、ワイヤ７５とリード線７１との電気的な接続作業を別途行う必要があり、設置作業に時間がかかり、コストがかさむという問題がある。
【０００８】
本発明の目的は、ワイヤ張力検出型の警戒システムであって、設置が容易なシステムを提供することにある。
【０００９】
【課題を解決するための手段】
上記目的を達成する本発明の第一の態様としては、ワイヤ張力調節部とワイヤ張力検出部とがひとつの筐体に収容された警戒センサを用いる。これにより、設置時に作業者が一方向に移動していくのみで、警戒センサへのワイヤの接続とワイヤの張力の調節とを順次行うことができるようにした。また、上記目的を達成する本発明の第二の態様としては、リードスイッチに近接させて永久磁石を配置した構成の警戒センサを用い、リードスイッチを搭載した搭載部を変位させ、永久磁石は変位させない構成とする。これにより、ワイヤの固定とリードスイッチに対する電気的接続とを同時に行うことが可能になる。
【００１０】
具体的には、例えば、次のような警戒システムを提供することができる。すなわち、間隔をあけて配置された複数の警戒センサと、前記複数の警戒センサの間にそれぞれ配置され、両端が隣接する前記警戒センサに接続されたワイヤとを有する警戒システムであって、警戒センサは、筐体と、該筐体の内部に配置されたワイヤ張力調節部およびワイヤ張力検出部とを含む構成とする。このワイヤ張力調節部は、当該警戒センサに両側から接続される前記ワイヤのうち、一方の側から接続される第１のワイヤの端部を固定するとともにその張力を調節する。ワイヤ張力検出部は、他方の側から接続される第２のワイヤの端部に接続され、該第２のワイヤに加わった予め定められた値以上の張力を検出する。
【００１１】
また、別の態様としては、例えば、次のような警戒システムを提供することができる。すなわち、間隔をあけて配置された複数の警戒センサと、前記複数の警戒センサの間にそれぞれ配置され、両端が隣接する前記警戒センサに接続されたワイヤとを有する警戒システムであって、警戒センサは、筐体と、該筐体の内部に配置されたワイヤ張力検出部とを有する。ワイヤ張力検出部は、リードスイッチと、該リードスイッチを搭載する搭載部と、該搭載部を変位可能に支持するガイド部と、前記リードスイッチに近接した位置において前記筐体に固定された磁界発生部とを含む構成とする。このとき、搭載部は、警戒センサに両側から接続されるワイヤのうち一方の側から接続されるワイヤの端部を固定するためのワイヤ保持部を備える。このワイヤ保持部に固定されたワイヤに予め定めた値以上の張力がかかった場合、該張力によりガイド部に沿って変位し、リードスイッチを磁界発生部の発生する磁界から外れる位置まで移動させる。
【００１２】
【発明の実施の形態】
本発明の一実施の形態の警戒システムについて図面を用いて説明する。
【００１３】
本実施の形態の警戒システムは、図１に示したように、張力調節機能を備えた警戒センサ１０と、ワイヤ１５、１６等と、監視装置３０とを含んで構成される。警戒センサ１０は、図示していないブラケットを介して柱に取り付けられている。すべてのワイヤ１５，１６は、金属線を撚り合わせた導電性のワイヤである。図１では、図示の都合上、３本の柱２１，２２，２３にそれぞれ取り付けられた３台の警戒センサ１０と、その間のワイヤ１５，１６のみを示しているが、実際には、全長数ｋｍ〜数十ｋｍの警戒区域に全体に渡って一定の間隔（例えば６ｍ間隔）で柱等を設けて警戒センサ１０を設置し、それらの間にそれぞれワイヤを配置している。よって、ワイヤの全長は、数ｋｍ〜数十ｋｍに達する。警戒区域の両端の警戒センサ１０のワイヤ１９，２０は、ワイヤ監視装置３０に接続される。
警戒センサ１０は、図２ならびに、図２のＡ−Ａ’断面図を示した図３のように、センサ部２２０と、張力調節部２１０と、これらを収容した筐体２０１とを有する。
【００１４】
センサ部２２０は、基板ボックス２２３と、基板ボックス２２３をスライド可能に支持する一対のスライドガイド部２２２と、マーカー２２９と、ピン２２８と、ワイヤ保持部２３１と、ばね２３０とを含んでいる。ワイヤ保持部２３１は、筐体２０１のワイヤ挿入孔２０１ａから挿入されたワイヤ（図２では、ワイヤ１６）の端部を締め付けて固定するための導電性の治具であり、基板ボックス２２３の側面に固定されている。基板ボックス２２３の内部には、回路基板２２４が固定され、回路基板２２４上には、ガラス管内にリード状のスイッチが封入されたリードスイッチ２２５と、所定の電気回路２２６と、配線２２７が搭載されている。導電性の治具であるワイヤ保持部２３１は、回路基板２２４上の配線２２７によってリードスイッチ２２５の一方の端子２２５ａと電気的に接続されている。よって、ワイヤ保持部２３１によって保持されたワイヤ１６は、基板ボックス２２３に固定されると同時に、リードスイッチ２２５の一方の端子２２５ａと電気的に接続される。
【００１５】
また、マーカー２２９は、中空の円筒状の部品であり、ワイヤ１６に過大な張力が加わった場合に、筐体２０１の内部から外側に突出することにより、当該警報センサ１０がワイヤ１６の過大な張力を検出したことを外部に対して報知する。マーカー２２９の側面には蛍光塗料等が塗布され、突出したマーカー２２９を外部から容易に判別できるように構成されている。ピン２２８は、基部が基板ボックス２２３に固定されており、先端がマーカー２２９の内部に挿入されている。ワイヤ１６に過大な張力がかかり、基板ボックス２２３がワイヤ１６により引っ張られて図４のように変位すると、その変位によりピン２２８の先端が筐体２０１の外部まで移動する。これにより、マーカー２２９は、ピン２２８によってマーカー突出孔２０１ｃから押し出され、筐体２０１の外側に突出する。
【００１６】
また、ワイヤ保持部２３１と筐体２０１との間には、ばね２３０が挿入されている。ばね２３０は、図２に示した状態において引っ張り力も圧縮力も加わらない状態となるようにその長さが調節されている。よって、基板ボックス２２３がワイヤ１６に加わった過大な張力により図４の位置に変位すると、ばね２３０が圧縮された状態になるため、ばね２３０の反発力により基板ボックス２２３は押し戻され、図５に示したように元の位置まで復帰する。このとき、マーカー２２９は、ピン２２８が元の位置に戻っても、図５のように筐体２０１から突出したままとなり、継続して当該警戒センサ１０でワイヤの過大張力が検出されたことを外部に示す。
【００１７】
また、図３に示したように、基板ボックス２２３の下には永久磁石２３２が配置されている。永久磁石２３２は、一対のスライドガイド２２２の間であって、リードスイッチ２２５の真下に位置するように筐体２０１に固定されている。よって、基板ボックス２２３が変位していない図２、図３の状態では、リードスイッチ２２５は永久磁石２３２の磁界内に位置し、オンの状態（導通状態）となっているが、図４のようにワイヤ１６に引っ張られて基板ボックス２２３が変位すると、リードスイッチ２２５が永久磁石２３２の磁界から外れてオフの状態（開放状態）へと変化する。これにより、ワイヤ１６に過大な張力が加わったことが検出される。また、ばね２３０により基板ボックス２２３が元の位置に押し戻されると、リードスイッチ２２５は再びオンになる。
【００１８】
一方、張力調節部２１０は、図２および図３に示されているように、一対のガイド部２１１と、テンションプーリー２１２と、スクリューねじ２１３と、固定プーリー２１５と、ワイヤ端固定部２１６とを含んでいる。一対のガイド部２１１は、筐体２０１に固定され、ガイド溝２１８を形成している。テンションプーリー２１２は、その軸部２１９の先端がガイド溝２１８に挿入されている。よって、テンションプーリー２１２は、ガイド溝２１８に沿って移動可能である。スクリューねじ２１３は、筐体２０１の外側から内側に向かって貫通し、筐体２０１の内側に固定された雌ねじ２１４と嵌合している。スクリューねじ２１３の先端は、テンションプーリー２１２の軸部２１９に到達している。筐体２０１の外側からスクリューねじ２１３を回転させ、スクリューねじ２１３の先端でテンションプーリー２１２の軸部２１９を押すことにより、テンションプーリー２１２の位置を調節することができる。
【００１９】
また、固定プーリー２１５は、筐体２０１に設けられたワイヤ挿入孔２０１ａに隣接する位置に固定され、ワイヤ挿入孔２０１ａに挿入されたワイヤ（図２ではワイヤ１５）をテンションプーリー２１２へ導く作用をする。ワイヤ端固定部２１６は、スクリューねじ２１３を挟んで、固定プーリー２１５と対称な位置に配置されている。ワイヤ端固定部２１６には、ねじ２１７が取り付けられており、挿入されたワイヤ１５を押圧することにより固定する。
【００２０】
また、ねじ２１７には、リード線２２１の一端が接続されている。ワイヤ端固定部２１６がワイヤ１５およびリード線と接する部分は導電性であり、リード線２２１は、ワイヤ端固定部２１６を介してワイヤ１５と電気的に導通するように構成されている。一方、リード線２２１の他端は、センサ部２２０の基板ボックス２２３に設けられた貫通孔を通って内部に引き込まれ、リードスイッチ２２５の端子２２５ｂに接続されている。したがって、ワイヤ１５は、リード線２２１、リードスイッチ２２５、回路基板２２４の配線２２７、ワイヤ保持部２３１を介して、ワイヤ１６と電気的に導通している。リード線２２１の長さは、基板ボックスが変位した場合も導通状態を維持できるように余裕をもって定められている。
【００２１】
このように、警報センサ１０に隣接される左右のワイヤは互いに導通するように構成されているため、警報システムを構成するワイヤ１５，１６，１９，２０等は、電気的に閉じた回路（ワイヤループ）を構成する。監視装置３０は、ワイヤ２０，１９間に微弱な電流を流すことにより、警報システムのワイヤループが電気的に閉じているか、開放状態であるかを検出する。リードスイッチ２２５がオフ状態になった場合や、ワイヤが切断された場合には、ワイヤループが開放状態となるため、監視装置３０は、これを電流が流れなくなったことにより検出し、警報を発する。
【００２２】
本実施の形態の警報センサ１０の製造手順について簡単に説明する。警報センサ１０は、あらかじめ製造しておいた各部品を組み立てることにより製造される。回路基板２２４上の配線２２７は、回路基板２２４の製造時に同時に形成しておく。組立工程において、リード線２２１の一方の端部をねじ２１７に取り付け、他方の端部をリードスイッチ２２５の端子２２５ｂに接続する。また、回路基板２２４上の配線２２７とリードスイッチ２２５との電気的な接続は、リードスイッチ２２５を回路基板２２４に搭載する工程ではんだ付け等により行う。配線２２７とワイヤ保持部２３１との電気的な接続は、組立工程においてワイヤ保持部２３１を基板ボックス２２３に取り付ける際に、ワイヤ保持部２３１の端部を回路基板２２４に固定することにより行われる。これにより、ワイヤ１５，１６以外の部品の電気的な接続がすべて完成した状態の警戒センサ１０を製造することができる。
【００２３】
本実施の形態の警戒センサ１０を用いて、図１の警戒システムを設置する場合の設置手順は以下のようになる。
【００２４】
まず、作業者は、図１の柱２１の位置において、柱２１に取り付けたブラケット等に警報センサ１０を固定する。固定作業は、筐体２０１に設けられた取り付け穴２４０にねじ等を挿入することにより容易に行うことができる。固定した警報センサ１０の左側のワイヤ挿入孔２０１ｂからワイヤ１５の右端部を挿入し、固定プーリー２１５およびテンションプーリー２１２を通して、ワイヤ端固定部２１６に挿入し、ねじ２１７を閉めて固定する。つぎに、スクリューねじ２１３を回転させてテンションプーリー２１２を移動させ、ワイヤ１５の張力を所定値に設定する。つぎに、同じ柱２１の位置で、警報センサ１０の右側のワイヤ挿入孔２０１ａからワイヤ１６の左端部を挿入し、ばね２３０を通して、ワイヤ保持部２３１に挿入し、ワイヤ保持部２３１の一部の治具を締め上げる等の作業により、ワイヤ１６をワイヤ保持部２３１に固定する。これにより、柱２１への警戒センサ１０の設置は、終了である。ワイヤ１５，１６の固定以外の電気的な接続のための特別な作業は不要である。
【００２５】
つぎに、作業者は、右へ約６ｍ移動し、柱２２に警報センサ１０を固定する。
そして、警報センサ１０の左側のワイヤ挿入孔２０１ｂから、ワイヤ１５の右端部を挿入し、先ほどと同様に、固定プーリー２１５およびテンションプーリー２１２を通してワイヤ端固定部２１６に挿入し、ねじ２１７を閉めて固定する。そして、スクリューねじ２１３を回転させてテンションプーリー２１２を移動させて、ワイヤ１５の張力を所定値に設定する。これにより、柱２１の警報センサ１０と柱２２の警報センサ１０との間に、所定の張力でワイヤ１５を張ることができる。続けて、同じ柱２２の位置で、警報センサ１０の右側のワイヤ挿入孔２０１ａからワイヤ１６の左端部を挿入し、ワイヤ保持部２３１に固定する。これにより、柱２２への警戒センサ１０の設置は、終了である。
【００２６】
つぎに、作業者は、右へ約６ｍ移動し、柱２３に警戒センサ１０を固定し、先ほどと同様に、左側のワイヤ挿入孔２０１ｂからワイヤ１６の右端部を挿入し、ワイヤ端固定部２１６に固定する。そして、スクリューねじ２１３を回転させてテンションプーリー２１２を移動させ、ワイヤ１６の張力を所定値に設定する。
これにより、柱２２の警報センサ１０と柱２３の警報センサ１０との間に、所定の張力でワイヤ１６を張ることができる。また、同じ柱２３の位置で警報センサ１０の右側のワイヤ挿入孔２０１ａからワイヤ１９の左端部を挿入し、ワイヤ保持部２３１に固定する。これにより、柱２２への警戒センサ１０の設置は、終了である。
【００２７】
以降、図示していないが警戒区域内のすべての警報センサ１０とワイヤとを設置が完了するまで同様の設置作業を繰り返す。最後に監視装置３０にワイヤ２０、１９の端部を接続して設置作業が終了する。
【００２８】
つぎに、本実施の形態の警戒システムの動作について説明する。
【００２９】
監視装置３０は、警戒区域に張り巡らされたワイヤ１５，１６，１９，２０等からなるループに、微弱な電流を流している。異常がない状態では、警戒センサ１０のリードスイッチ２２５が閉じているため、ワイヤのループ全体が閉じた回路となっており、微弱電流が流れる。ワイヤのループを構成している各ワイヤは、それぞれ一方の端部（左端）が警戒センサ１０のセンサ部１０に接続され、他方の端部（右端）が警戒センサ１０のワイヤ張力調節部２１０に接続されている。不法侵入者がワイヤを乗り越える等して警戒区域に侵入しようとすると、ワイヤに過大が張力がかかるため、ワイヤの左端に接続されている警戒センサ１０の基板ボックス２２３が引っ張られ、スライドガイド２２２に沿って図４のように変位する。このように基板ボックス２２３が変位すると、基板ボックス２２３内のリードスイッチ２２５が永久磁石２３２の磁界から外れてしまうため、リードスイッチ２２５はオフ状態（開放状態）となる。これにより、ワイヤのループは閉じた回路ではなくなるため、電流が流れなくなり、監視装置３０は、それを検出して警報を出力し、不法侵入を報知する。警報としては、警報音を発する、警報ランプを点灯する等の手段を用いることができる。侵入者によって加えられていたワイヤへの過大張力が解除されると、基板ボックス２２３は、ばね２３０の反発力によって図５のようにもとの位置に自動的に戻り、リードスイッチ２２５は再び永久磁石２３２の磁界を受けてオン状態（閉状態）になる。これにより、ワイヤのループは、再び電気的に閉じた状態に復帰するため、微弱電流が流れる状態となり、次の侵入を検出することができる状態になる。
【００３０】
また、過大張力が加わったワイヤが接続されている警報センサ１０は、基板ボックス２２３が変位した際に、マーカー２２９が筐体２０１の外部に突出する。
マーカー２２９は、図５に示したように、基板ボックス２２３が元の位置に戻っても筐体２０１から突出したままの状態となるため、監視員が警戒センサ１０を見回って、マーカー２２９が突出している警戒センサ１０を特定することにより、過大張力がかかったワイヤを特定することができる。マーカー２２９は、監視員が手動で筐体２０１に押し込むことにより、元の位置に復帰する。
【００３１】
一方、侵入者によりワイヤが切断された場合には、ワイヤのループが閉じた状態ではなくなるため微弱電流が流れなくなり、監視装置３０は、過大張力がかかった場合と同様に警報を発する。ただし、ワイヤが切断された場合には、過大張力がかかった場合のように自動復帰しないため、微弱電流が流れない状態が継続する。よって、監視装置３０は、予め定められた時間以上に微弱電流が流れない状態が継続した場合には、ワイヤ切断であると判断することができ、ワイヤ切断を知らせる警報音等により報知することができる。
【００３２】
上述してきたように、本実施の形態の警戒システムは、設置時に、作業者が一方向（右方向）へ移動していくのみで、警戒センサ１０へのワイヤの接続とワイヤの張力の調節とを順次行うことができる。これは、ワイヤ張力調節部２１０とセンサ部２２０とがひとつの筐体２０１に収容されている警戒センサ１０を用いることにより可能となったものである。よって、設置の際に作業者は、従来のように右、左へ行きつ戻りつしながらワイヤの全長の倍の距離を移動する必要はなく、ワイヤに沿って一方向にワイヤの全長と同等の距離を移動するだけ、設置を行うことができる。よって、本実施の形態の警戒システムは、作業者の移動距離を従来の半分にすることができ、特に、全長が数ｋｍ〜数十ｋｍと長い警戒システムの場合には、設置作業の際に移動に要する時間を従来よりも大幅に短縮することができる。
【００３３】
また、本実施の形態の警戒システムの警戒センサ１０では、リードスイッチ２２５を搭載した回路基板２２５にワイヤ１６を接続して回路基板２２５を変位させ、永久磁石は変位させない構成にしている。このため、ワイヤを設置する際には、回路基板２２５に対してワイヤを固定するだけで電気的な接続も同時に行うことができ、従来の図７に示したようにワイヤ７５にリード線７１ｃを接続する等の電気的な配線を別途行う必要がない。また、その分、部品点数が少なくなり簡素化され、故障原因も減少する。したがって、本実施の形態の警戒センサは、従来と比較して、作業者の移動距離が短いだけではなく、作業者が警戒センサ１０にワイヤを接続する作業を効率よく短時間に行うことができる。このように、本実施の形態の警戒システムは、従来の警戒システムと比較して、作業者が設置に要する時間を大幅に短縮することができるため、設置コストを削減することができる。
【００３４】
また、本実施の形態の警戒システムは、ワイヤ張力調節機能が内蔵された警戒センサ１０を用いるため、ワイヤ間に設置するのは警戒センサ１０の１種類のみである。よって、従来のように警戒センサと張力調節装置の２種類の装置を製造する必要がなく、部品の型代等を含めて製造コストを低減することができる。
【００３５】
なお、上述の実施の形態の警戒センサ１０は、センサ部２２０の基板ボックス２２３がスライドガイド２２２に沿って移動する方向を、ワイヤが張られる方向に一致させることが望ましい。そこで、警戒センサ１０を柱に取り付ける際に用いるブラケットを、警戒センサ１０のスライドガイド２２２の軸方向を右上方向、水平方向、右下方向等の複数の方向に支持可能な構造とし、これら支持可能な方向から作業者が警戒区域の地形などに合わせて選択した向きに警戒センサ１０を取り付けるようにすることができる。例えば、ブラケットとして、柱に巻きつけられるバンド部と、警戒センサ１０を固定する固定部とを有する構成とすることができる。固定部には、３箇所に雌ねじを設け、３箇所の雌ねじのうちいずれかを選択して、警戒センサ１０を雄ねじにより固定することにより、３方向のいずれかに警戒センサ１０を固定することができるようにすることができる。
【００３６】
なお、本実施の形態の警戒センサ１０は、筐体２０１の右側にセンサ部２２０を、左側に張力調節部２１０を配置しているが、両者を入れ替えた配置にすることももちろん可能である。また、張力調節部２１０の構造は、テンションプーリー２１２を用いる構造に限定されるものではなく、ワイヤに所定の張力を与えることができる構造であればよく、例えば、ガイド２１１にラックを付し、テンションプーリー２１２の代えて、ガイド２１１のラックと噛み合う突起を有するブロックを用いことができる。この構造の場合、ブロックに設けた貫通孔にワイヤを通し、ブロックの位置をガイド２１１に沿って移動させるだけでワイヤの張力を調節することができるため、設定操作が簡単な張力調節部２１０にすることができる。
【００３７】
【発明の効果】
上述してきたように、本発明によれば、設置が容易な警戒システムを提供することができる。
【図面の簡単な説明】
【図１】本発明の一実施の形態の警戒システムの概略構成と、設置時の作業者の移動を示す説明図である。
【図２】本発明の実施の形態の警戒システムで用いられる警戒センサ１０の構造を示すブロック図である。
【図３】図２のＡ−Ａ’断面図である。
【図４】本発明の実施の形態の警戒センサ１０において、ワイヤ１６に過大な張力がかかり、基板ボックス２２３が変位した状態を示す断面図である。
【図５】本発明の実施の形態の警戒センサ１０において、基板ボックス２２３が変位した状態から元の位置に復帰した状態を示す断面図である。
【図６】従来の警戒システムの構成と、設置時の作業者の移動を示す説明図である。
【図７】従来の警戒システムの警戒センサにおいて、永久磁石に接続したワイヤを、リードスイッチの端子と電気的に接続した状態を示す説明図である。
【符号の説明】
１０…警戒センサ、１５，１６…ワイヤ、１９、２０…ワイヤ、２１、２２，２３…柱、３０…監視装置、７１…警戒センサ、７１ａ…リードスイッチ、７１ｂ…永久磁石、７１ｃ…リード線、７２…警戒センサ７３…張力調節部、７３ａ…プーリー、７４，７５，７６…ワイヤ、７７，７８，７９…柱、２０１…筐体、２１０…ワイヤ張力調節部、２１１…ガイド部、２１２…テンションプーリー、２１３…スクリューねじ、２１４…雌ねじ、２１５…固定プーリー、２１６…ワイヤ端固定部、２１７…ねじ、２２０…センサ部、２２１…リード線、２２２…スライドガイド、２２３…基板ボックス、２２４…回路基板、２２５…リードスイッチ、２２６…電気回路、２２７…配線、２２８…ピン、２２９…マーカー、２３０…ばね、２３１…ワイヤ保持部、２３２…永久磁石、２４０…取り付け穴。
【図１】
2004171351.tif 000003
【図２】
2004171351.tif 000004
【図３】
2004171351.tif 000005
【図４】
2004171351.tif 000006
【図５】
2004171351.tif 000007
【図６】
2004171351.tif 000008
【図７】
2004171351.tif 000009